(57)【要約】【課題】上面が損耗した場合にその補修作業を容易に行えるプラスチックタイル及びそのプラスチックタイルを用いて仕上げられるプラスチックタイル敷き床のメインテナンス方法を提供すること。【解決手段】プラスチックタイル２０は、タイル本体３０と保護用フィルム４０とで形成され、保護用フィルム４０は、加熱されると接着性が生ずる加熱性接着剤でタイル本体３０に剥離可能に固定され、保護用フィルム４０の上面部分４０Ａが損耗したときには、保護用フィルム４０はタイル本体３０から剥離され、この代わりにタイル本体３０には新保護用フィルムが加熱性接着剤で剥離可能に固定される。【選択図】  図３
2006052524.tif 000002
【特許請求の範囲】
【請求項１】
床下地面に取り外し自在に置かれるプラスチックタイルにおいて、タイル本体と、少なくともこのタイル本体の上面に被せられている上面部分を有している保護用フィルムとを含んで形成され、この保護用フィルムが前記タイル本体に対して剥離可能となっていることを特徴とするプラスチックタイル。
【請求項２】
請求項１に記載のプラスチックタイルにおいて、前記保護用フィルムは、前記上面部分と接続され、前記タイル本体の側面に被せられる側面部分を有していることを特徴とするプラスチックタイル。
【請求項３】
請求項２に記載のプラスチックタイルにおいて、前記保護用フィルムは、前記側面部分と接続され、前記タイル本体の下面に被せられる下面部分を有していることを特徴とするプラスチックタイル。
【請求項４】
請求項１〜３のいずれかに記載のプラスチックタイルにおいて、前記保護用プラスチックタイルは、加熱されると接着性が生ずる加熱性接着剤で前記タイル本体に剥離自在に固定されていることを特徴とするプラスチックタイル。
【請求項５】
請求項１〜４のいずれかに記載のプラネチックタイルにおいて、前記保護用フィルムの前記上面部分の表面には、保護膜が設けられていることを特徴とするプラスチックタイル。
【請求項６】
請求項１〜５のいずれかに記載のプラスチックタイルにおいて、前記保護用フィルムの前記上面部分は透明又は半透明であり、この上面部分の裏面には表示物が表示されていることを特徴とするプラスチックタイル。
【請求項７】
請求項1 〜５のいずれかに記載のプラスチックタイルにおいて、前記保護用フィルムの前記上面部分は透明又は半透明であり、この上面部分と前記タイル本体の上面との間に、表示物が表示された表示部材が介入されていることを特徴とするプラスチックタイル。
【請求項８】
請求項１〜７のいずれかに記載のプラスチックタイルは、リース契約又はレンタル契約に対象物となっていること。
【請求項９】
請求項１〜８のいずれかに記載のプラスチックタイルの複数個が床下地面に取り外し自在に置かれることにより仕上げられているプラスチックタイル敷き床のメインテナンス方法であって、前記複数個のプラスチックタイルのうち、少なくとも１個のプラスチックタイルの保護用フィルムが損耗したときに、この保護用フィルムがタイル本体に被せられているプラスチックタイルを前記床下地面から取り外す作業工程と、この取り外された箇所に、予め保護用フィルムがタイル本体に剥離自在に被せられたプラスチックタイルを取り外し自在に置く作業工程と、前記取り外されたプラスチックタイルの保護用フィルムをタイル本体から剥離する作業工程と、このタイル本体に新保護用フィルムを剥離自在に被せる作業工程とを有することを特徴とするプラスチックタイル敷き床のメインテナンス方法。
【請求項１０】
請求項９に記載のプラスチックタイル敷き床のメインテナンス方法において、前記取り外されたプラスチックタイルは、前記プラスチックタイル敷き床のうちの歩行量の多い箇所に配置されていたプラスチックタイルであることを特徴とするプラスチックタイル敷き床のメインテナンス方法。
【請求項１１】
請求項１０に記載のプラスチックタイル敷き床のメインテナンス方法において、前記取り外されたプラスチックタイルは、歩行量の多い箇所に配置される前は歩行量の少ない箇所に配置されており、このプラスチックタイルは、歩行量の多い箇所に配置されていたプラスチックタイルと交換されて歩行量の少ない箇所から歩行量の多い箇所へ配置されていたことを特徴とするプラスチックタイル敷き床のメインテナンス方法。
【請求項１２】
請求項９〜１１のいずれかに記載のプラスチックタイル敷き床のメインテナンス方法において、前記新保護用フィルムがタイル本体に剥離自在に被せられたプラスチックタイルは、保護用フィルムが損耗したプラスチックタイルと交換されるための交換用プラスチックタイルとして再使用されることを特徴とするプラスチックタイル敷き床のメインテナンス方法。
【発明の詳細な説明】
【０００１】
【発明の属する技術分野】
本発明は、床を仕上げるために床下地面に置かれるプラスチックタイル及び複数個のプラスチックタイルによって仕上げられるプラスチックタイル敷き床のメインテナンス方法に係り、店舗、事務所、公共施設、展示場等の各種の床に利用できるものである。
【０００２】
【従来技術】
多数のプラスチックタイルをコンクリートの打設等で形成された床下地面に多数敷くことにより仕上げられるプラスチックタイル敷き床は、清掃の容易性や清潔感から店舗や飲食店、さらには事務所、公共施設等の各種建物に採用されている。特開平８−４２６４には、床下地面に単に置くだけの置き敷き型であって取り外し自在となっているプラスチックタイルが示されている。
プラスチックタイルの上面には、艶出しや強度を確保するために、ワックス剤等の塗布作業や吹き付け作業によって保護膜が設けられる。
【０００３】
【発明が解決しようとする課題】
人が出入りしたり往来したりする場所に敷かれているプラスチックタイルの上面は、靴等の履物によって次第に消耗し、また、物体が引きずられたり落下したりすると、損傷する。このように、プラスチックタイルの上面に設けられている保護膜が損耗した場合に、その保護膜を補修するためには、従来では、残余の保護膜を剥離した後に新保護膜のための塗布作業や吹き付け作業を行って、均一厚さの保護膜をプラスチックタイルの上面に設けなければならず、この作業に多くの手間と時間がかかっていた。
【０００４】
本発明の目的は、上面が損耗した場合にその補修作業を容易に行えるようになるプラスチックタイルを提供するところ、及びそのプラスチックタイルを用いて仕上げられているプラスチックタイル敷き床のメインテナンス方法を提供するところにある。
【０００５】
【課題を解決するための手段】
本発明に係るプラスチックタイルは、床下地面に取り外し自在に置かれるプラスチックタイルにおいて、タイル本体と、少なくともこのタイル本体の上面に被せられている上面部分を有している保護用フィルムとを含んで形成され、この保護用フィルムが前記タイル本体に対して剥離可能となっていることを特徴とするものである。
【０００６】
このプラスチックタイルによると、タイル本体の上面には保護用フィルムが被せられているため、プラスチックタイルの損耗はこの保護用フィルムで生じ、保護用フィルムはタイル本体に対しては剥離自在であるため、保護用フィルムが損耗した場合には、この保護用フィルムを剥離した後、新保護用フィルムをタイル本体に被せる作業を行うことにより、プラスチックタイルの上面が補修されたことになる。このため、この補修作業を容易に行えることになり、プラスチックタイルを再使用できる。
なお、ここでいう保護用フィルムの損耗とは、保護用フィルムが摩滅して消耗することでもよく、大きな荷重を受けて損傷することでもよい。
【０００７】
また、新保護用フィルムはタイル本体の上面に剥離不能に固着してもよく、あるいは、この新保護用フィルムをタイル本体の上面に剥離自在に被せてもよい。新保護用フィルムを後者とすると、新保護用フィルムが損耗した場合に、上述と同じく、新保護用フィルムをタイル本体から剥離できるため、プラスチックタイルの上面の補修作業を容易に行える。
【０００８】
また、保護用フィルムは、タイル本体の上面に被せられる上面部分だけからなるものでもよく、あるいは、上面部分と、この上面部分と接続され、タイル本体の側面に被せられる側面部分とを有するものでもよい。
【０００９】
保護用フィルムを後者とした場合には、プラスチックタイル敷き床を仕上げるために複数のプラスチックタイルが床下地面に互いに密接して並設されたときに、互いに隣接するプラスチックタイルの保護用フィルムの側面部分同士が突き合わせられ、プラスチックタイル敷き床の端部に配置されるプラスチックタイルについては、このプラスチックタイルの保護用フィルムの側面部分がプラスチックタイル敷き床の外周縁部を形成する壁等の仕切り部に当接するため、それぞれのプラスチックタイルの保護用フィルムがタイル本体に対して剥離自在となっていても、プラスチックタイル敷き床で使用中において、これらのプラスチックタイルの保護用フィルムがタイル本体から剥離するのを有効に防止できる。
【００１０】
さらに、保護用フィルムは、上面部分と側面部分だけからなるものでもよく、あるいは、上面部分と、側面部分と、この側面部分と接続され、タイル本体の下面に被せられる下面部分とを有するものでもよい。
【００１１】
保護用フィルムを後者とした場合には、プラスチックタイルを床下地面に置くと、保護用フィルムの下面部分がタイル本体の下面で押さえられるため、それぞれのプラスチックタイルの保護用フィルムがタイル本体に対して剥離自在となっていても、保護用フィルムがタイル本体から剥離するのを一層有効に防止できることになる。
【００１２】
保護用フィルムは任意な合成樹脂材料で形成でき、例えば、以下のうちの一つから選択できる。ポリエチレンテレフタレート（ＰＥＴ）、ポリプロピレン（ＰＰ）、ポリエチレン（ＰＥ）、ポリ塩化ビニル（ＰＶＣ）、ポリカーボネート（ＰＣ ）。
【００１３】
また、保護用フィルムをタイル本体に剥離自在に被せるには、任意な固定手段を用いて保護用フィルムをタイル本体に剥離自在に固定してよい。この固定手段の一例は、接着剤である。
【００１４】
保護用フィルムをタイル本体に接着剤で剥離自在に固定する場合において、この接着剤は常温で接着性を有するものでもよく、あるいは、加熱されると接着性が生ずる加熱性接着剤でもよい。
【００１５】
接着剤を加熱性接着剤とした場合には、保護用フィルム又はタイル本体又はこれらの両方に加熱性接着剤を塗布した後に、タイル本体に保護用フィルムを被せただけではタイル本体に保護用フィルムは固定されないため、タイル本体に対する保護用フィルムの位置変更を行うことが可能になって、保護用フィルムをタイル本体に対して位置決めすることができる。そして、この後、保護用フィルムとタイル本体を加熱することにより、加熱性接着剤で保護用フィルムはタイル本体に剥離自在に固定される。
【００１６】
このように保護用フィルムをタイル本体に剥離自在に固定する場合における加熱性接着剤としては、例えば、アクリル酸エステル等の熱可塑性樹脂からなるものや、アクリルエマルジョン糊を用いることができ、この他に、任意な加熱性接着剤を用いることができる。
【００１７】
また、加熱性接着剤は、保護用フィルムの全面をタイル本体に固定するために用いてもよく、あるいは、保護用フィルムの一部をタイル本体に固定するために用いてもよい。
【００１８】
後者とする場合の一例は、保護用フィルムが、前述した上面部分と側面部分と下面部分とからなる場合において、上面部分と側面部分のみを加熱性接着剤でタイル本体に固定し、下面部分をタイル本体に固定しないことである。これによると、損耗した保護用フィルムをタイル本体から剥離する作業を行う場合において、タイル本体に対して固定されていない自由状態となっている下面部分から、保護用フィルムをタイル本体に対して分離することができ、この剥離作業を容易に行える。
【００１９】
また、加熱性接着剤に付与する加熱温度を調整することによってこの接着剤の接着力を調整し、これにより保護用フィルムのタイル本体からの剥離作業を容易に行えるようにしてもよい。
【００２０】
さらに、タイル本体から保護用フィルムを容易に剥離できるようにするためには、使用する加熱性接着剤の量を調整してもよい。
【００２１】
また、保護用フィルムの表面には、保護膜を設けてもよく、設けなくてもよい。
【００２２】
保護用フィルムの表面に保護膜を設けておくと、保護用フィルムが保護されるため、保護用フィルムが損耗するまでの期間を遅らせることができるとともに、保護用フィルムの強度がそれ程大きくない場合には、保護用フィルムの強度を確保できる。
【００２３】
保護膜は任意な材料によるものでよく、例えば、以下のうちの一つから選択できる。ウレタンで強化されないアクリル系樹脂材料、ウレタンで強化されたアクリル系樹脂材料、フッ素系材料、シリコン系材料のうちの有機材料（アルコキシシランとＮ−プロピルアルコールとアルミニウムキレート化合物との混合材料）、シリコン系材料のうちの無機材料（シリコンガラス）、ウレタン系樹脂、エポキシ系樹脂、セラミック系樹脂。
【００２４】
また、保護膜を保護用フィルムの表面に設けるための作業は、塗布作業でもよく、スプレー等による吹き付け作業でもよく、シートからの転写作業でもよく、保護膜の材料等に応じた任意な作業でよい。
【００２５】
さらに、タイル本体自体の材料及び構造も任意であり、タイル本体の全部がプラスチックで形成されてもよく、一部にプラスチック以外の材料が用いられてもよい。
【００２６】
また、保護用フィルムは透明又は半透明でもよく、あるいは、着色されたものでもよく、模様が表示されたものでよい。
【００２７】
保護用フィルムが着色されたものであると、タイル本体を着色する必要がなくなり、また、模様が表示されたものであると、タイル本体に模様を表示する必要がなくなる。
【００２８】
保護用フィルムの前述した上面部分が透明又は半透明である場合には、この上面部分の裏面に印刷や貼り付け等によって表示物を表示してもよい。これによると、この表示物を保護用フィルムを通してプラスチックタイルの上面において視認することができ、このプラスチックタイルを表示物付きのタイルとすることができる。
【００２９】
また、保護用フィルムの上面部分が透明又は半透明である場合には、この上面部分とタイル本体の上面との間に、表示物が表示された表示部材を介入してもよい。これによっても、表示物を保護用フィルムを通してプラスチックタイルの上面において視認することができ、このプラスチックタイルを表示物付きのタイルとすることができる。
【００３０】
このようにプラスチックタイルを表示物付きのタイルとする場合であって、保護用フィルムの上面部分を半透明とする場合には、この上面部分を着色された又は白濁した半透明としてもよい。
【００３１】
また、表示物は、文字でもよく、絵文字でもよく、絵でもよく、図形でもよく、模様でもよく、これらのうちの少なくとも２つが複合されたものでもよい。
【００３２】
さらに、損耗した保護用フィルムをタイル本体から剥離し、この代わりに新保護用フィルムをタイル本体に被せる場合であって、剥離された保護用フィルムの上面部分の裏面に表示物が表示されていた場合には、新保護用フィルムの上面部分の裏面に表示物が表示されていなくてもよく、表示されていてもよい。剥離された保護用フィルムの代わりに用いる新保護用フィルムが、表示物が表示されているフィルムである場合には、この表示物は、剥離された保護用フィルムに表示されていたものと同じでもよく、異なるものでもよい。
【００３３】
また、損耗した保護用フィルムをタイル本体から剥離し、この代わりに新保護用フィルムをタイル本体に被せる場合であって、剥離された保護用フィルムの上面部分とタイル本体の上面との間に、表示物が表示された表示部材が介入されていた場合には、剥離された保護用フィルムの代わりに用いる新保護用フィルムの上面とタイル本体の上面との間に、表示物が表示された表示部材を介入してもよく、介入しなくてもよい。表示部材を介入する場合には、この表示部材は、剥離された前の保護用フィルムについて使用されていたものでもよく、別の表示部材でもよい。
【００３４】
また、以上説明した本発明に係るプラスチックタイルは、プラスチックタイル敷き床の所有者が所有権を保有する買い取り型でもよく、あるいは、リース契約又はレンタル契約の対象物となるものでもよい。
【００３５】
プラスチックタイルが後者であると、損耗した保護用フィルムをタイル本体から剥離する作業や、この代わりに新保護用フィルムをタイル本体に剥離自在に被せる作業、さらには、剥離した保護用フィルムを粉砕処理等して新保護用フィルムの生産のために再利用する作業を、一元的かつ総合的に実施できるようになる。
【００３６】
本発明に係るプラスチックタイル敷き床のメインテナンス方法は、以上説明したプラスチックタイルの複数個が床下地面に取り外し自在に置かれることにより仕上げられているプラスチックタイル敷き床のメインテナンス方法であって、前記複数個のプラスチックタイルのうち、少なくとも１個のプラスチックタイルの保護用フィルムが損耗したときに、この保護用フィルムがタイル本体に被せられているプラスチックタイルを前記床下地面から取り外す作業工程と、この取り外された箇所に、予め保護用フィルムがタイル本体に剥離自在に被せられたプラスチックタイルを取り外し自在に置く作業工程と、前記取り外されたプラスチックタイルの保護用フィルムをタイル本体から剥離する作業工程と、このタイル本体に新保護用フィルムを剥離自在に被せる作業工程とを有することを特徴とするものである。
【００３７】
このメインテナンス方法によると、保護用フィルムが損耗した少なくとも１個のプラスチックタイルが生じたとき、このプラスチックタイルを床下地面から取り外し、このプラスチックタイルが取り外された床下地面の箇所に、予め保護用フィルムが被せられている別のプラスチックタイルを交換用プラスチックタイルとして取り外し自在に置くため、その箇所に配置されていたプラスチックタイルの保護用フィルムを実質的に補修したのと同じになり、この補修作業を容易かつ短時間で行える。また、保護用フィルムが損耗したために床下地面から取り外されたプラスチックタイルからは保護用フィルムが剥離され、このプラスチックタイルのタイル本体には新保護用フィルムが剥離自在に被せられるため、このプラスチックタイルの損耗した部分は、容易に補修される。
【００３８】
なお、保護用フィルムが損耗したプラスチックタイルを床下地面から取り外す作業は、保護用フィルムの損耗量が予め決められていた一定量に達したときに行ってもよく、あるいは、予め決められていた一定期間が経過したときに行ってもよく、あるいは、不定期に行ってもよい。
【００３９】
また、以上説明したメインテナンス方法は、各種の態様で保護用フィルムが損耗した場合に適用でき、その一例は、プラスチックタイルの上を人々が歩行したために保護用フィルムが消耗した場合である。他の例は、プラスチックタイルの上を物体が引きずられたり落下したために保護用フィルムが損傷した場合である。
【００４０】
プラスチックタイルの上を人々が歩行したために保護用フィルムが消耗する場合において、プラスチックタイル敷き床のうちの歩行量の多い箇所に配置されているプラスチックタイルの保護用フィルムは、歩行量の少ない箇所に配置されているプラスチックタイルよりも、早期に消耗する。このため、歩行量の多い箇所に配置されていたプラスチックタイルの保護用フィルムが消耗したとき、このプラスチックタイルを床下地面から取り外し、この箇所に、予め保護用フィルムがタイル本体に剥離可能に被せられた交換用プラスチックタイルを取り外し自在に置くことは、プラスチックタイル敷き床全体をメインテナンスする上で、このメインテナンスを有効かつ効率的に行えることになる。
【００４１】
このように、歩行量の多い箇所に配置されていたプラスチックタイルの保護用フィルムが消耗したときに、このプラスチックタイルを床下地面から取り外すようにした場合において、このプラスチックタイルは、初めから歩行量の多い箇所に配置されていてもよく、あるいは、歩行量の多い箇所に配置される前は歩行量の少ない箇所に配置され、そして、歩行量の多い箇所に配置されていたプラスチックタイルと交換されて歩行量の少ない箇所から歩行量の多い箇所へ配置されていてもよい。
【００４２】
床下地面から取り外されたプラスチックタイルが後者である場合には、歩行量の多い箇所に配置されていたプラスチックタイルと歩行量の少ない箇所に配置されていたプラスチックタイルは、交換されるため、これらのプラスチックタイルの保護用フィルムの消耗量を平均化できることになり、歩行量の多い箇所に配置されていたプラスチックタイルの保護用フィルムを新保護用フィルムに代えるまでの期間を遅らせることができる。
【００４３】
また、本発明に係るメインテナンス方法では、保護用フィルムが損耗したために床下地面から取り外されたプラスチックタイルについては、タイル本体から保護用フィルムが剥離されるとともに、このタイル本体に新保護用フィルムが剥離可能に被せられるため、このプラスチックタイルは、保護用フィルムが損耗したプラスチックタイルと交換するための交換用プラスチックタイルとして再使用できることになる。
【００４４】
このため、本発明に係るメインテナンス方法によると、タイル本体を再び使用するためのリサイクルシステムを作ることができる。
【００４５】
なお、交換用プラスチックタイルを再使用するプラスチックタイル敷き床は、この交換用プラスチックタイルのタイル本体がもともと使用されていたプラスチックタイル敷き床でもよく、他のプラスチックタイル敷き床でもよい。
【００４６】
以上の本発明に係るメインテナンス方法において、床下地面から取り外されたプラスチックタイルの保護用フィルムをタイル本体から剥離する作業と、このタイル本体に新保護用フィルムを剥離自在に被せる作業は、一般的には、プラスチックタイル製造工場又はプラスチックタイル補修工場で行うことができる。これにより、損耗した保護用フィルムを新保護用フィルムに代える作業を、多数のプラスチックタイルについて効率的に行えることになる。
【００４７】
また、プラスチックタイルがリース契約又はレンタル契約の対象物になっている場合には、複数のプラスチックタイル敷き床から取り外された多数のプラスチックタイルをそれぞれのプラスチックタイル敷き床の現場からプラスチックタイル製造工場又はプラスチックタイル補修工場へ搬入する作業や、損耗した保護用フィルムに代わって新保護用フィルムをタイル本体に剥離可能に被せることにより多数のプラスチックタイルを交換用プラスチックタイルとする作業、さらには、これらの交換用プラスチックタイルをそれぞれのプラスチックタイル敷き床の現場へ搬出するまで保管しておく作業や、この搬出するための作業を、一元的かつ総合的に管理されたシステムの作業として低コストで効率的に行えることになる。
【００４８】
以上説明した本発明は、大きさ及び形状が標準型となった標準型プラスチックタイルと、標準型プラスチックタイルとは大きき及び／又は形状が異なる異形型プラスチックタイルとの両方に適用できる。
【００４９】
さらに、本発明は、店舗の床や、事務所の床、公共施設の床、展示場の床等の各種の床に用いられるプラスチックタイルに適用できる。また、その床は建物の床でもよく、地下街等の構築物の床でもよい。また、その床は、電気配線等が内部に敷設される二重床でもよい。さらに、その床は、プラスチックタイルだけで仕上げられる床でもよく、プラスチックタイルと、カーペットタイルや泥除去マット等のプラスチックタイル以外の床仕上げ部材とで仕上げられる床でもよい。
【００５０】
【発明の実施の形態】
以下に本発明の実施形態を図面に基づいて説明する。以下に説明するプラスチックタイル敷き床は、コンビニエンスストアの床である。
【００５１】
図１は、このコンビニエンスストアの床の全体平面図である。この床はコンクリート壁１とガラス壁２とで囲まれているとともに、ガラス壁２の一部に設けられた出入口３で出入りがなされる。床下地面はコンクリートの打設で形成されており、この床下地面に多数のプラスチックタイル２０と１個の泥除去マット１００とを床下地面に接着せずに単に置くことにより、床がプラスチックタイル敷き床として仕上げられている。したがって、これらのプラスチックタイル２０と泥除去マット１００は置き敷き型のものとなっていて、床下地面から取り外し自在である。
【００５２】
なお、図１で示された全部のプラスチックタイル２０は、平面形状が正四角形であって、大きき及び形状が標準型となった標準型プラスチックタイルとなっているが、床の全体平面形状が三角形や台形等の異形となっている場合には、標準型プラスチックタイル２０と、平面形状が三角形や長方形等となっていて、大きき及び／又は形状が標準型プラスチックタイル２０と異なる異形型プラスチックタイルとが用いられて、床が仕上げられる。
【００５３】
以上のプラスチックタイル２０と泥除去マット１００は、リース契約又はレンタル契約の対象物となっている。
【００５４】
図１で示された床の上には各種の設置物が設置されており、これらの設置物には、コンクリート壁１に沿って並べられた商品棚４〜７と、コンクリート壁１から離れて設置された商品棚８〜１１と、ワゴン型の商品陳列台１２，１３と、出入口３に近接して配置された会計用のカウンタ１４とがある。
【００５５】
図２は、床下地面１５に置かれているときのプラスチックタイル２０の縦断面図である。プラスチックタイル２０は、タイル本体３０と、このタイル本体３０の表面に剥離自在に被せられた保護用フィルム４０とからなる。タイル本体３０は、塩化ビニルを主要材料とするものであり、下から順番に下地層２１、ガラス不織布層２２、中間層２３、表層２４を積層固着して形成されている。保護用フィルム４０はポリエチレンテレフタレートで形成されている。保護用フィルム４０は、これ以外に、ポリプロピレン、ポリエチレン、ポリ塩化ビニル、ポリカーボネート等の任意な合成樹脂で形成してもよい。
【００５６】
図３には、タイル本体３０に被せる前の保護用フィルム４０が示されている。この保護用フィルム４０は、平面形状が正四角形となっている上面部分４０Ａと、この上面部分４０Ａの各辺において、上面部分４０Ａとそれぞれが接続された４個の側面部分４０Ｂと、これらの側面部分４０Ｂの上面部分４０Ａとは反対側の各辺において、側面部分４０Ｂとそれぞれが接続された４個の下面部分４０Ｃとからなる。上面部分４０Ａはタイル本体３０の上面３０Ａと、側面部分４０Ｂはタイル本体の側面３０Ｂと、それぞれ対応する大きき及び形状となっており、それぞれの下面部分４０Ｃは、４個の下面部分４０Ｃを合わせてもタイル本体３０の下面３０Ｃよりも小さい大きさとなっている。
【００５７】
なお、それぞれの下面部分４０Ｃを、これらの下面部分４０Ｃを合わせると、タイル本体３０の下面３０Ｃと同じ大きさになる大きさとしてもよい。
【００５８】
保護用フィルム４０は、フィルム素材からの打ち抜き加工で形成され、また、上面部分４０Ａと側面部分４０Ｂとの境界線及び側面部分４０Ｃと下面部分４０Ｃとの境界線は、折り曲げ加工され、これにより、保護用フィルム４０は、これらの境界線が折り曲げ線となって折り曲げ自在となっている。
【００５９】
タイル本体３０に被せられる前の保護用フィルム４０の所定の裏面、例えば、上面部分４０Ａの裏面と側面部分４０Ｂの裏面には、加熱されると接着性が生ずる加熱性接着剤が塗布される。この加熱性接着剤は、熱可塑性樹脂であるアクリル酸エステルを含有するものであり、加熱性接着剤は、これ以外にアクリルエマルジョン糊を用いることができる。
【００６０】
このように所定の裏面に加熱性接着剤が塗布きれた保護用フィルム４０を、それぞれの折り曲げ線で折り曲げながらタイル本体３０に被せ、これにより、上面部分４０Ａをタイル本体３０の上面３０Ａと、側面部分４０Ｂをタイル本体３０の側面３０Ｂと、下面部分４０Ｃをタイル本体３０Ｃの下面３０Ｃとそれぞれ対面接触させた後、図４に示すとおり、タイル本体３０と保護用フィルム４０からなるプラスチックタイル２０を、ローラ式加熱加圧装置における互いに対向配置された一対の加熱回転ローラ４５の間を通過させる。これにより、保護用フィルム４０をタイル本体３０に加圧するとともに、加熱性接着剤を加熱し、この接着剤によって保護用フィルム４０をタイル本体３０に剥離自在に固定する。
【００６１】
なお、保護用フィルム４０をタイル本体３０に剥離自在に固定することは、一対の加熱回転ローラ４５による加熱性接着剤の昇温温度を調整することや、保護用フィルム４０の裏面に塗布する加熱性接着剤の量を調整することにより行える。
【００６２】
以上のように、保護用フィルム４０の裏面に加熱性接着剤を塗布する作業や、この保護用フィルム４０をタイル本体３０に被せる作業、さらには、図４のように一対のローラ４５で加熱性接着剤を加熱しながら保護用フィルム４０をタイル本体３０に加圧することにより、保護用フィルム４０をタイル本体３０に剥離可能に固定する作業は、図５で示したプラスチックタイル製造工場Ａにおいて行われる。この工場Ａでは、このようにして前述した標準型プラスチックタイルと異形型プラスチックタイルが多数生産され、これらのプラスチックタイルは、それぞれプラスチックタイル敷き床の現場Ｂに運ばれるとともに、これらの現場Ｂの床下地面に取り外し自在に置かれて床を仕上げるために用いられる。
【００６３】
図５で示した複数の現場Ｂのうちの一つが、図１で示したコンビニエンスストアである。
【００６４】
図１で示したコンビニエンスストアでは、出入口３に近接した箇所に泥除去マット１００が配置されているため、店舗に入る人が泥除去マット１００の上を歩くことにより、その人の履物に付着していた泥やほこりの多くは泥除去マット１００で除去される。しかし、それでも履物に付着していた少しの泥やほこりは、その履物と共に多数のプラスチックタイル２０が配置されているコンビニエンスストアの内部に侵入する。このため、コンビニエンスストアの新規開店後、これらのプラスチックタイル２０の保護用フィルム４０の上面部分４０Ａが次第に消耗し始める。
【００６５】
この上画部分４０Ａの消耗量は、多数のプラスチックタイル２０のうち、歩行量の多い箇所である会計カウンタ１４に近いエリアＣに配置されているプラスチックタイル２０Ａで大きく、出入ロ３から遠いために歩行量の少ない箇所となっている商品棚６，７に近いエリアＤに配置されているプラスチックタイル２０Ｂで小さい。
【００６６】
エリアＣに配置されているプラスチックタイル２０Ａの保護用フィルム４０の上面部分４０Ａの消耗量が一定量に達したとき、又はこの上面部分４０Ａの消耗量が一定量まで達していないが、予め決められていた一定期間が経過したときに、エリアＣのプラスチックタイル２０ＡとエリアＤのプラスチックタイル２０Ｂを床下地面から取り外し、プラスチックタイル２０ＡをエリアＤへ、プラスチックタイル２０ＢをエリアＣへ配置し、これらのプラスチックタイル２０Ａと２０Ｂの交換を行う。この交換作業は、プラスチックタイル２０Ａ，２０Ｂを床下地面に取り外し自在に置くことにより行う。
【００６７】
これにより、エリアＣで上面部分４０Ａが大きく消耗した保護用フィルム４０について、そのコンビニエンスストアの現場で保護用フィルム４０を実質的に補修したのと同じになり、この補修作業を、コンビニエンスストア全体又はコンビニエンスストア内の所定区域を一定時間又をま一定期間の間、立ち入り禁止にすることなく、短時間のうちに容易に行える。
【００６８】
以上のように、エリアＣとＤのプラスチックタイル２０Ａと２０Ｂの交換を行ってから期間が経過し、これらのプラスチックタイル２０Ａ, ２０Ｂの保護用フィルム４０の上面部分４０Ａの消耗が、そのコンビニエンスストアの床で使用されている他のプラスチックタイル２０と交換できないほど進行したときには、図５の工場Ａで予め製造されている交換用プラスチックタイル２０を、プラスチックタイル２０Ａ，２０Ｂと同じ個数だけ図１のコンビニエンスストアに運ぶ。そして、プラスチックタイル２０Ａ，２０Ｂを床下地面から取り外し、この代わりに、交換用プラスチックタイル２０を床下地面に置く。
【００６９】
なお、工場Ａからコンビニエンスストアへ予め多数の交換用プラスチックタイル２０を運んでおいて保管しておき、これらの交換用プラスチックタイル２０のうちの必要個数だけを用いることにより、以上と同じ作業を行ってもよい。
【００７０】
また、図１で示めされたプラスチックタイル２０Ａ, ２０Ｂ又はプラスチックタイル２０Ａ，２０Ｂ以外のプラスチックタイル２０のうち、例えば、プラスチックタイル敷き床に置かれた物を引きずったために保護用フィルム４０の上面部分４０Ａが損傷したプラスチックタイル２０が生じたときにも、このプラスチックタイル２０を交換用プラスチックタイル２０と交換する。
【００７１】
これらの作業を行うことにより、コンビニエンスストアの床で使用されていたプラスチックタイル２０の保護用フィルム４０を、その保護用フィルム４０を補修する作業をコンビニエンスストアの床で実際には行っていないが、その床で補修したのと実質的に同じになる。しかも、コンビニエンスストアの営業を続けながら、これらの作業を短時間のうちに容易に行える。
【００７２】
そして、床下地面から取り外されたプラスチックタイル２０は工場Ａに運ばれ、この工場Ａにおいて、消耗した保護用フィルム４０をタイル本体３０から剥離する作業が手作業又は機械による自動作業として行われる。そして、保護用フィルム４０が剥離されたタイル本体３０には、工場Ａにおいて新保護用フィルムが被せられ、この被せ作業は、前述と同じく、書面に加熱性接着剤を塗布した新保護用フィルムをタイル本体３０に被せることにより行われ、これによって得られたプラスチックタイルを図４の一対の加熱回転ローラ４５の間に通すことにより、新保護用フィルムをタイル本体３０に剥離自在に固定する。
【００７３】
このようにして工場Ａで製造されたプラスチックタイルは、図５のそれぞれの現場Ｂに交換用プラスチックタイルとして運ばれるまで、工場Ａで保管されている。そして、現場Ｂにおいて、保護用フィルム４０の上面部分４０Ａが損耗したプラスチックタイルが生じたときには、その現場Ｂへ交換用プラスチックタイルが運ばれ、保護用フィルム４０の上面部分４０Ａが損耗したプラスチックタイルと交換される。
【００７４】
以上説明したように本実施形態に係るプラスチックタイル２０は、タイル本体３０に保護用フィルム４０を剥離可能に被せたものとなっているため、保護用フィルム４０が損耗したときには、この保護用フィルム４０をタイル本体３０から剥離することができ、この代わりに新保護用フィルムをタイル本体３０に剥離可能に被せることにより、損耗した保護用フィルム４０を補修したのと実質時に同じになり、この補修作業を容易に行える。
【００７５】
また、保護用フィルム４０は、タイル本体３０の上面３０Ａに被せられる上面部分４０Ａと、タイル本体３０の側面３０Ｂに被せられる側面部分４０Ｂを有しているため、それぞれのプラスチックタイル２０が図２に示すように床下地面１５に置かれてプラスチックタイル敷き床を形成し、これらのプラスチックタイル２０が互いに密接して並設されると、互いに隣接するプラスチックタイル２０の保護用フィルム４０の側面部分４０Ｂ同士が突き合わせられる。プラスチックタイル敷き床の端部に配置されるプラスチックタイル２０については、このプラスチックタイル２０の保護用フィルム４０の側面部分４０Ｂがプラスチックタイル敷き床の外周縁部を形成する壁等の仕切り部に当接する。このため、それぞれのプラスチックタイル２０の保護用フィルム４０がタイル本体３０に対して剥離可能となっていても、言い換えると、加熱性接着剤によるタイル本体３０へのプラスチックタイル４０の接着力が小さくても、保護用フィルム４０がタイル本体３０から剥離するのを有効に防止できる。
【００７６】
また、保護用フィルム４０は、タイル本体３０の下面３０Ｃに被せられる下面部分４０Ｃを有しているため、プラスチックタイル２０を床下地面１５に置くと、保護用フィルム４０の下面部分４０Ｃがタイル本体３０の下面３０Ｃで押さえられ、また、プラスチックタイル２０の上に乗る人の重量でも下面部分４０Ｃは押さえられるため、保護用フィルム４０がタイル本体３０から剥離するのを一層有効に防止できることになる。
【００７７】
さらに、保護用フィルム４０の上面部分４０Ａによってタイル本体３０の上面３０Ａが覆われるため、保護用フィルム４０の上面部分４０Ａを着色したり、上面部分４０Ａに模様等を表示しておくことにより、タイル本体３０を着色したり、タイル本体３０に模様等を表示しておく必要がなくなる。このため、タイル本体３０の製造の容易化、低コスト化を図ることができる。
【００７８】
また、保護用フィルム４０をタイル本体３０に剥離自在に固定するための接着剤は、加熱されると接着力が生ずる加熱性接着剤であるため、保護用フィルム４０をタイル本体３０に被せただけでは、保護用フィルム４０はタイル本体３０に固定されない。このため、タイル本体３０に対する保護用フィルム４０の位置を正しい位置へ変更する作業を行え、タイル本体３０に対して保護用フィルム４０を位置決めした後、接着剤を加熱する作業を行うことにより、保護用フィルム４０をタイル本体３０に剥離可能に固定できる。
【００７９】
また、本実施形態における加熱性接着剤の加熱作業は、一対のローラ４５で保護用フィルム４０をタイル本体３０に加圧しながら行われるため、この加圧力により、保護用フィルム４０の上面部分４０Ａをタイル本体３０の上面３０Ａに、これらの間に隙間が発生することなく固定できる。
【００８０】
また、前述したように、保護用フィルム４０の上面部分４０Ａの裏面と側面部分４０Ｂの裏面とに加熱性接着剤を塗布し、下面部分４０Ｃに加熱性接着剤を塗布しない場合には、タイル本体３０から保護用フィルム４０を剥離する際、保護用フィルム４０の端部側である下面部分４０Ｃより、保護用フィルム４０を容易に剥離することができる。
【００８１】
また、プラスチックタイル敷き床の現場Ｂでは、保護用フィルム４０が損耗したプラスチックタイル２０が生じたときに、このプラスチックタイル２０を床下地面１５から取り外し、この箇所に、予めタイル本体３０に保護用フィルム４０が剥離可能に被せられたプラスチックタイル２０を置くため、この箇所における損耗した保護用フィルム４０が実質的に短時間で補修されたのと同じになり、プラスチックタイル敷き床の現場であるコンビニエンスストアは、一定期間又は一定時間休業する必要はない。
【００８２】
また、損耗した保護用フィルム４０に代わって新保護用フィルムをタイル本体３０に被せるために工場Aへ送られるプラスチックタイル２０のうち、この直前まで歩行量の少ない箇所Ｄに配置されていたプラスチックタイル２０Ａは、初めは歩行量の多い箇所Ｃに配置されており、次いで、歩行量の少ない箇所Ｄに配置されていたプラスチックタイル２０Ｂと交換されているため、これらのプラスチックタイル２０Ａと２０Ｂの損耗量を平均化できるとともに、プラスチックタイル２０Ａの保護用フィルム４０を新保護用フィルムに代えるまでの期間を遅らせることができる。
【００８３】
さらに、それぞれのプラスチックタイル２０はリ―ス契約又はレンタル契約の対象物となっているため、損耗した保護用フィルム４０をタイル本体３０から剥離する作業や、このタイル本体３０に新保護用フィルムを被せる作業などの保護用フィルム４０を補修するための作業に関するシステムを、一元的かつ総合的に管理されたシステムとして完成させることができる。
【００８４】
また、それぞれのプラスチックタイル２０をリース契約又はレンタル契約の対象物とすることにより、多数のプラスチックタイル２０をそれぞれのプラスチックタイル敷き床の現場Ｂからプラスチックタイル製造工場Ａへ搬入する作業や、損耗した保護用フィルムに代わって新保護用フィルムをタイル本体３０に剥離可能に被せることにより、多数のプラスチックタイル２０を交換用プラスチックタイルとして再生させる作業、さらには、これらの交換用プラスチックタイルをそれぞれのプラスチックタイル敷き床の現場Ｂへ搬出するまで保管しておく作業や、この搬出するための作業を、一元的かつ総合的に管理されたシステムの作業として低コストで効率的に行えることになる。また、タイル本体３０から剥離されて損耗している保護用フィルム４０を新保譲用フィルム生産用の材料とするための作業も、一元的かつ総合的に管理されたシステムの中の作業として低コストで効率的に行える。
【００８５】
また、工場Ａでは、損耗した保護用フィルム４０に代わって新保護用フィルムがタイル本体３０に剥離可能に被せられるため、タイル本体３０は交換用プラスチックタイルのタイル本体として再び使用され、タイル本体３０のリサイクルシステムを作ることができる。
【００８６】
図６は、裏面に加熱性接着剤が塗布された保護用フィルム４０を加熱しながらタイル本体３０に加圧するための別実施形態を示す。この実施形態では、加熱下盤４６と加熱上盤４７とを備えるプレス式加熱加圧装置が用いられる。加熱下盤４６の上に、加熱性接着剤が塗布されている保護用フィルム４０を被せたタイル本体３０を載せ、次いで加熱上盤４７を下降させることにより、保護用フィルム４０及び加熱性接着剤を加熱しながらタイル本体３０に加圧する。これにより、加熱性接着剤で保護用フィルム４０がタイル本体３０に剥離可能に固定きれたプラスチックタイル２０ができあがる。
【００８７】
この実施形態によると、加熱上盤４７を１回上下動させるだけで、保護用フィルム４０をタイル本体３０に剥離可能に固定できるため、図４で示したローラ式加熱加圧装置よりも作業効率を向上させることができる。
【００８８】
図７の実施形態では、タイル本体３０を、ローラ式加熱加圧装置を構成する一対の加熱回転ローラ４８の間に通すときに、保護用フィルムのための素材となっいるロール式のフィルム素材５０もタイル本体３０の上に被せて一対のローラ４８の間に通すことにより、このフィルム素材５０を、フィルム素材５０の裏面に塗布されている加熱性接着剤でタイル本体３０に剥離可能に固定するようにしている。また、フィルム素材５０はロール部５１から連続的に繰り出され、これをにより、一対のローラ４８の間に間隔を開けて送り込まれる複数のタイル本体３０にフィルム素材５０が剥離可能に順次固定される。
【００８９】
それぞれのタイル本体３０に剥離可能に固定されたフィルム素材５０は、この後、切断装置によって切断加工され、また、折り曲げ装置によって折り曲げ加工され、これにより、フィルム素材５０から、図３と同様に、それぞれのタイル本体３０の上面３０Ａと側面３０Ｂと下面３０Ｃに被せられた保護用フィルムができあがる。
【００９０】
この実施形態によると、複数のタイル本体３０に保護用フィルムを剥離可能な被せるための作業を連続作業として行える。
【００９１】                        ・
図８の実施形態では、保護用フィルム４０の上面部分４０Ａの表面に保護膜６０が設けられている。この保護膜６０は、ウレタンで強化されたアクリル系樹脂材料によるものである。保護膜６０は、これ以外に、ウレタンで強化されないアクリル系樹脂材料、フツ素系材料、シリコン系材料のうちの有機材料（アルコキシシランとＮ−プロピルアルコールとアルミニウムキレート化合物との混合材料）、シリコン系材料のうちの無機材料（シリコンガラス）、ウレタン系樹脂、エポキシ系樹脂、セラミック系樹脂でもよく、任意な材料を選択できる。
【００９２】
保護用フィルム４０の上面部分４０Ａの表面に保護膜６０を設ける作業は、図５で示した工場Ａにおいて、保護膜６０の材料に応じて塗布や吹き付け等の作業によって行われる。
【００９３】
この実施形態によると、保護用フィルム４０の損耗する部分となっている上面部分４０Ａが保護膜６０で保護されるため、保護用フィルム４０を工場Ａで新保護用フィルムに代えなければならない程に上面部分４０Ａが損耗するまでの期間を遅らせることができ、また、保護用フィルム４０の強度がそれ程大きくない場合には、保護用フィルム４０の上面部分４０Ａの強度を確保できる。
【００９４】
図９の実施形態で示されたコンビニエンスストアのプラスチックタイル敷き床は、図１と同じく、多数のプラスチックタイル２０によって仕上げられているが、その一部のプラスチックタイルは、上面に表示物である文字７０が表示されたプラスチックタイル２０Ｃとなっている。図１０は、この表示物付きプラスチックタイル２０Ｃを示す。このプラスチックタイル２０Ｃの保護用フィルム４０は透明又は半透明であり、タイル本体３０の上面３０Ａと対面する上面部分４０Ａの裏面には、印刷や文字フィルムの貼り付けによる文字７０が設けられている。
【００９５】
この実施形態によると、プラスチックタイル敷き床を仕上げるための床仕上げ材となっているプラスチックタイル２０Ｃを、広告やお知らせ等の通知事項を通知するための媒体として利用できる。
【００９６】
プラスチックタイル２０Ｃを図５で示した工場Ａに運び、文字７０が設けられている保護用フィルム４０を新保護用フィルムに代えるときは、この新保護用フイルムは、上面部分の裏面に文字７０と同じ文字が設けられたものでもよく、他の文字が設けられたものでもよく、文字以外の表示物が設けられたものでもよく、表示物が設けられていないものでもよい。
【００９７】
図１１は、別実施形態に係る表示物付きプラスチックタイル２０Ｄを示す。このプラスチックタイル２０Ｄは、タイル本体３０と、透明又は半透明となっている保護用フィルム４０と、タイル本体３０の上面３０Ａと保護用フィルム４０の上面部分４０Ａとの間に介入され、文字７０が表示された表示部材８０とからなり、この表示部材８０は、合成樹脂製フィルム又は紙等の薄い材料で形成されている。
【００９８】
この実施形態によっても、文字７０が保護用フィルム４０の透明又は半透明の上面部分４０Ａを通してプラスチックタイル２０Ｄの上面において視認できるため、プラスチックタイル２０Ｄを広告やお知らせ等の通知事項を通知するための媒体として利用できる。
【００９９】
プラスチックタイル２０Ｄの保護用フィルム４０を図５で示した工場Ａで新保護用フィルムに代えるときは、タイル本体３０と新保護用フィルムとの間に、表示部材８０をそのまま介入してもよく、文字７０と異なる文字が表示された表示部材を介入してもよく、文字以外の表示物が表示された表示部材を介入してもよく、表示部材を介入しなくてもよい。
【０１００】
この実施形態によると、文字等の表示物は、保護用フィルム４０とは別部材となっている表示部材８０に表示されるため、表示物付きプラスチックタイルであっても保護用フィルム４０に表示物を設ける必要がなく、保護用フィルム４０の製造が容易となる。
【０１０１】
なお、保護用フィルム４０の上面部分４０Ａをタイル本体３０の上面３０Ａに加熱性接着剤で剥離可能に固定するためには、表示部材８０の大きさを上面３０Ａよりも小さくすればよい。また、表示部材８０の大きさを上面３０Ａと同じにした場合であっても、保護用フィルム４０の側面部分４０Ｂをタイル本体３０の側面３０Ｂに加熱性接着剤で剥離自在に接着することにより、保護用フィルム４０をタイル本体３０に剥離可能に固定できる。
【０１０２】
【発明の効果】
本発明によると、プラスチックタイルの上面が損耗した場合にその補修作業を容易に行えるという効果を得られる。
【図面の簡単な説明】
【図１】本発明の一実施形態に係るプラスチックタイルを用いて仕上げられたプラスチックタイル敷き床であるコンビニエンスストアの床の全体を示す平面図である。
【図２】床下地面に置かれているときを示すプラスチックタイルの縦断面図である。
【図３】タイル本体に被せられる前の保護用フィルムを示す斜視図である。
【図４】加熱性接着剤が塗布された保護用フィルムをタイル本体にローラ式加熱加圧装置により剥離自在に固定する作業を示す図である。
【図５】図4の作業等が行われるプラスチックタイル製造工場とプラスチックタイル敷き床の作業現場との間でプラスチックタイルが運搬されることを示す概念図である。
【図６】加熱性接着剤が塗布された保護用フィルムをタイル本体にプレス式加熱加圧装置により剥離自在に固定する作業の実施形態を示す図である。
【図７】保護用フィルムのための素材となっているロール式のフィルム素材と、タイル本体とをローラ式加熱加圧装置に送り込むことにより、複数のタイル本体を連続的に処理できるようにした作業の実施形態を示す図である。
【図８】保護用フィルムの上面部分の表面に保護膜を設けた実施形態を示す図２と同様の図である。
【図９】一部のプラスチックタイルが表示物付きタイルとなっている実施形態を示す図１と同様の図である。
【図１０】図９で示された表示物付きプラスチックタイルを示す図3と同様の図である。
【図１１】表示物付きプラスチックタイルの別実施形態を示す図3と同様の図である。
【符号の説明】
１５  床下地面
２０  プラスチックタイル
２０Ｃ，２０Ｄ  表示物付きプラスチックタイル
３０  タイル本体
３０Ａ  上面
３０Ｂ  側面
３０Ｃ  下面
４０    保護用フィルム
４０Ａ  上面部分
４０Ｂ  側面部分
４０Ｃ  下面部分
６０  保護膜
７０  表示物である文字
８０  表示部材
Ａ  プラスチックタイル製造工場
Ｂ  プラスチックタイル敷き床の現場
Ｃ  歩行量の多い箇所
Ｄ  歩行量の少ない箇所
【図１】
2006052524.tif 000003
【図２】
2006052524.tif 000004
【図３】
2006052524.tif 000005
【図４】
2006052524.tif 000006
【図５】
2006052524.tif 000007
【図６】
2006052524.tif 000008
【図７】
2006052524.tif 000009
【図８】
2006052524.tif 000010
【図９】
2006052524.tif 000011
【図１０】
2006052524.tif 000012
【図１１】
2006052524.tif 000013
【手続補正書】
【提出日】平成14年7月24日(2002.7.24)
【手続補正１】
【補正対象書類名】図面
【補正対象項目名】全図
【補正方法】変更
【補正の内容】
【図１】
2006052524.tif 000014
【図２】
2006052524.tif 000015
【図３】
2006052524.tif 000016
【図４】
2006052524.tif 000017
【図５】
2006052524.tif 000018
【図６】
2006052524.tif 000019
【図７】
2006052524.tif 000020
【図８】
2006052524.tif 000021
【図９】
2006052524.tif 000022
【図１０】
2006052524.tif 000023
【図１１】
2006052524.tif 000024